Podtech/llm-jp-corpus-v4-ja_patent huggingface dataset:
【手続補正書】
【提出日】平成21年3月3日(2009.3.3)
【手続補正１】
【補正対象書類名】特許請求の範囲
【補正対象項目名】全文
【補正方法】変更
【補正の内容】
【特許請求の範囲】
【請求項１】
ＩＭＤ内に少なくとも部分的に収容されるフィードスルー（ｆｅｅｄｔｈｒｏｕｇｈ）／電極組立体であって、
縦軸を有するフェルールと、
該フェルール内に配置された電極と、
該電極の少なくとも一部分の上に配置された比較的低インピーダンスの材料と、
前記電極及び前記フェルール間に配置された絶縁体と、
前記電極から延長する導体にして、前記フェルール中を縦方向に延長し、かつ該フェルールから一端部にて突出する前記導体と、
前記一端部にて前記フェルールの上方に位置するカバーにして、絶縁本体と接触子とを備え、該接触子は前記一端部にて前記導体と動作可能に連結され、該接触子の一部分は前記絶縁本体の外側縦方向表面からアクセス可能である、前記カバーとを備える、前記フィードスルー／電極組立体。
【請求項２】
ＩＭＤ内に少なくとも部分的に収容されるフィードスルー／電極組立体であって、
縦軸を有するフェルールと、
該フェルール内に配置された電極と、
前記電極及び前記フェルール間に配置された絶縁体と、
前記電極から延長する導体にして、前記フェルール中を縦方向に延長し、かつ該フェルールから一端部にて突出する前記導体と、
該一端部にて該導体と動作可能に連結された接触子にして、前記フェルールの外側縦方向表面を縦方向に横切って延長する前記接触子と、
前記電極の表面の少なくとも一部分の上に配置された比較的低インピーダンスの材料とを備える、前記フィードスルー／電極組立体。
【手続補正書】
【提出日】平成21年3月17日(2009.3.17)
【手続補正１】
【補正対象書類名】特許請求の範囲
【補正対象項目名】全文
【補正方法】変更
【補正の内容】
【特許請求の範囲】
【請求項１】
心臓再同期ペーシングを設定するためのシステムであって、
第１の心室領域と第２の心室領域の機械的収縮を検出するための走査機器と、
前記走査機器にインタフェースで接続された処理機器であって、機械的遅延（ＭＤ）を、前記第１と第２の心室領域が心周期中に機械的に収縮する時間の差として計算し、かつ前記領域のどれが早期収縮領域と後期収縮領域であるのかを決定するように設定された処理機器と、
心房と前記後期収縮心室領域における電気的活動を検出するためのセンシング・チャネルとを備え、前記処理機器がさらに、固有の房室遅延（ＩＡＶＤ）を、心房の感知またはペースと前記後期収縮心室領域の固有の電気的活動化との間の時間として測定するように設定される、システム。
【請求項２】
前記処理機器がさらに、房室遅延間隔（ＡＶＤ）を
ＡＶＤ＝ＩＡＶＤ−ＭＤ
として計算して、前記後期収縮心室領域を事前刺激するためにその領域に対して心臓再同期ペーシングを行うように設定される請求項１に記載のシステム。
【請求項３】
前記第１と第２の心室領域の両方における電気的活動を検出するためのセンシング・チャネルをさらに備え、
前記処理機器が、前記早期と後期の機械的収縮領域のどれが早期と後期の電気的活動化領域であるのかを決定するために、前記早期と後期の収縮心室領域が電気的に活動化される時間を決定するように設定される請求項１に記載のシステム。
【請求項４】
前記処理機器がさらに、前記早期収縮領域の収縮時間と前記後期収縮領域の収縮時間との間の機械的遅延を測定し、かつ前記早期電気的活動化領域の活動化時間と前記後期電気的活動化領域の活動化時間との間の電気的遅延を測定するように設定される請求項３に記載のシステム。
【請求項５】
前記処理機器がさらに、房室遅延間隔（ＡＶＤ）を
ＡＶＤ＝Ｆ（ＩＡＶＤ1，ＩＡＶＤ2）−ＭＤ
として計算して、前記後期収縮心室領域を事前刺激するためにその領域に対して心臓再同期ペーシングを行うように設定され、
式中、Ｆ（ＩＡＶＤ1，ＩＡＶＤ2）が、前記早期活動化領域と前記後期活動化領域との間の電気的遅延を補償する形で前記後期収縮領域を事前刺激するために計算された、前記早期収縮心室領域に対する固有の房室遅延間隔ＩＡＶＤ1と前記後期収縮心室領域に対する固有の房室遅延間隔ＩＡＶＤ2との関数である請求項４に記載のシステム。
【請求項６】
再同期ペーシングを行うためにセンシング・チャネルとペーシング・チャネルが装備された埋込み型機器をさらに備える請求項１に記載のシステム。
【請求項７】
前記処理機器が外部プログラマである請求項６に記載のシステム。
【請求項８】
前記処理機器が前記埋込み型機器のコントローラである請求項６に記載のシステム。
【請求項９】
前記走査機器が心エコー検査機器である請求項１に記載のシステム。
【請求項１０】
前記心房センシング・チャネルが、表面ＥＫＧ機器である請求項１に記載のシステム。
【手続補正書】
【提出日】平成21年3月17日(2009.3.17)
【手続補正１】
【補正対象書類名】特許請求の範囲
【補正対象項目名】全文
【補正方法】変更
【補正の内容】
【特許請求の範囲】
【請求項１】
両心室性ペーシング・モードで患者に心臓再同期化治療を実施するための最適のペーシング・パラメータを設定するシステムであって、
両心室性ぺーシングを送るための埋め込み可能な心調律管理機器であって、心房事象に続いて、指定された両心室性オフセット間隔ＢＶＯによって分離された左右の心室ペーシングが房室遅延間隔ＡＶＤで与えられるように、前記左右の心室ペーシングを心房トラッキングまたはＡＶ順次モードでもたらすようにプログラムされた機器と、
前記ＬＡ−ＬＶ間隔と指定された、前記患者の左心房収縮と、左心室収縮との間の時間間隔を測定するための手段と、
前記ＬＡ−ＬＶ間隔を指定された閾値Ｔｈ１と比較し、前記ＬＡ−ＬＶ間隔が前記閾値Ｔｈ１未満である場合、前記患者を長期の心房間遅延があるものとして識別する手段と、
前記心臓再同期化治療が前記長期の心房間遅延を補うように実施されるやり方を調整する手段と
を含むシステム。
【請求項２】
前記調整する手段が、前記ＬＡ−ＬＶ間隔が前記指定された閾値Ｔｈ１未満である場合、前記左心房のペーシングを開始するための手段を含む請求項１に記載のシステム。
【請求項３】
前記調整する手段が、前記ＬＡ−ＬＶ間隔が前記閾値Ｔｈ１未満である場合、左心房と左心室の十分な同期性を維持するのに十分長くなるように選択された、指定された房室（ＡＶＤ）間隔により、心臓再同期化治療を両心室性ペーシングとして、心房トラッキング・モードまたはＡＶ順次ペーシング・モードで行うための手段を含む請求項１に記載のシステム。
【請求項４】
心拍出量に関する変数を測定する間に、前記ＡＶＤ間隔を変える手段と、
前記ＡＶＤ間隔を心拍出量に関する変数を最大化する値に設定する手段と
をさらに含む請求項３に記載のシステム。
【請求項５】
前記ＡＶＤ間隔設定手段が、最適なＡＶＤ値を自動的に計算し、前記ＡＶＤパラメータをその値に設定するようにプログラムされた埋め込み可能な機器の制御装置である請求項４に記載のシステム。
【請求項６】
無線遠隔測定リンクを経由して前記埋め込み可能な機器との通信のための外部プログラマをさらに含み、前記ＡＶＤ間隔設定手段が、最適なＡＶＤ値を自動的に計算し、前記ＡＶＤパラメータを前記埋め込み可能な機器内のその値に設定するようにプログラムされた外部プログラマである請求項４に記載のシステム。
【請求項７】
右心房の感知またはペーシングに続いて、前記左心房が指定された心房間遅延（ＡＡＬ）間隔でペーシングされる請求項２に記載のシステム。
【請求項８】
左心室事象に先行して、前記左心房が指定されたオフセット間隔でペーシングされる請求項２に記載のシステム。
【請求項９】
前記指定されたＡＡＬ間隔が心臓レートによって変わる請求項７に記載のシステム。
【請求項１０】
前記指定されたオフセット間隔が心臓レートによって変わる請求項８に記載のシステム。
【手続補正書】
【提出日】平成21年4月8日(2009.4.8)
【手続補正１】
【補正対象書類名】特許請求の範囲
【補正対象項目名】全文
【補正方法】変更
【補正の内容】
【特許請求の範囲】
【請求項１】
医療用インプラント装置において、
有機キャリア内に組み込まれた無機質粒子を含んでいる、生体適合性を有し三次元的な骨誘導性又は骨誘発性を有するインプラント体であって、上側面、下側面、及び前記上側面と前記下側面を相互に接続している側壁を含んでいるインプラント体と、
前記インプラント体に画定されている少なくとも１つの分離補助線であって、前記インプラント体の第１部分を前記インプラント体の第２部分から分離し易くするように構成されている少なくとも１つの分離補助線と、を備えている医療用インプラント装置。
【請求項２】
前記有機キャリアは、合成又は自然発生的なポリマーを備えている多孔質基質を含んでいる、請求項１に記載の医療用インプラント装置。
【請求項３】
前記有機キャリアは、コラーゲンを備えている、請求項２に記載の医療用インプラント装置。
【請求項４】
前記無機質は、二相性燐酸カルシウムを備えている、請求項１に記載の医療用インプラント装置。
【請求項５】
前記分離補助線は、切り込み線を備えている、請求項１に記載の医療用インプラント装置。
【請求項６】
前記インプラント体に画定されている複数の分離補助線を備えており、前記分離補助線は前記インプラント体を２個から１０個の部片に分離し易くするように構成されている、請求項１に記載の医療用インプラント装置。
【請求項７】
前記少なくとも１つの分離補助線は、前記インプラント体の幅を部分的にのみ横切って伸張している、請求項１に記載の医療用インプラント装置。
【請求項８】
前記インプラント体の幅を部分的にのみ横切って伸張している複数の分離補助線を含んでいる、請求項７に記載の医療用インプラント装置。
【請求項９】
前記インプラント体は、骨誘導性を有している、請求項１に記載の医療用インプラント装置。
【請求項１０】
前記インプラント体は、骨誘発性を有している、請求項１に記載の医療用インプラント装置。
【請求項１１】
前記無機質粒子対前記有機キャリアの重量比は、少なくとも約４対１である、請求項１に記載の医療用インプラント装置。
【請求項１２】
前記部片は、各々約１ｃｃから約５０ｃｃの体積を有している、請求項６に記載の医療用インプラント装置。
【請求項１３】
前記インプラント体は、約２ｃｃから約１００ｃｃの体積を有している、請求項６に記載の医療用インプラント装置。
【請求項１４】
前記分離補助線は、前記インプラント体の第１表面から内向きに伸張する少なくとも第１切り込み線を備えている、請求項１に記載の医療用インプラント装置。
【請求項１５】
前記分離補助線は、前記インプラント体の第２表面から内向きに伸張する少なくとも第２切り込み線を含んでおり、前記第２切り込み線は、前記第１切り込み線と整列している、請求項１４に記載の医療用インプラント装置。
【請求項１６】
前記切り込み線は、前記インプラント体の幅を部分的にのみ横切って伸張している、請求項１４に記載の医療用インプラント装置。
【請求項１７】
前記インプラント体は、繊維状スポンジを備えている、請求項１に記載の医療用インプラント装置。
【請求項１８】
前記有機キャリアは、コラーゲンを備えている、請求項１７に記載の医療用インプラント装置。
【請求項１９】
前記コラーゲンは、Ｉ型コラーゲンを備えている、請求項１８に記載の医療用インプラント装置。
【請求項２０】
前記インプラント体は、成形構造である、請求項１に記載の医療用インプラント装置。
【請求項２１】
インプラントが骨成長を支援又は誘発するのに適した医療装置において、
骨誘導性又は骨誘発性を有するインプラント体であって、前記インプラント体の第１部分を前記インプラント体の第２部分から分離し易くするように構成されている少なくとも１つの分離補助線を画定している、インプラント体を備えている医療装置。
【請求項２２】
前記インプラント体は、分解吸収性を有する有機キャリア材料を備えている、請求項２１に記載の医療装置。
【請求項２３】
前記分解吸収性を有する有機キャリア材料は、自然又は合成ポリマーを備えている、請求項２２に記載の医療装置。
【請求項２４】
前記インプラント体は、更に無機質を備えている、請求項２２に記載の医療装置。
【請求項２５】
医療用製品において、
骨誘導性又は骨誘発性を有するインプラント体であって、前記インプラント体の第１部分を前記インプラント体の第２部分から分離し易くするように構成されている少なくとも１つの分離補助線を画定している、インプラント体と、
前記インプラント体が滅菌状態で封入されている包装と、を備えている医療用製品。
【請求項２６】
骨成長を必要とする患者に前記インプラント体を使用するための指示を含んでいる資料を更に備えている、請求項２５に記載の医療用製品。
【請求項２７】
前記インプラント体は、天然又は合成ポリマーを備えている、請求項２５に記載の医療用製品。
【請求項２８】
前記インプラント体は、更に無機質を備えている、請求項２７に記載の医療用製品。
【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
長期間にわたって取得したディジタル画像コレクションの中から興味の対象となる特定の少なくとも一人の人物を同定する方法であって、
それぞれのディジタル画像に一人以上の人物が含まれているディジタル画像コレクションを用意するステップと；
付随するある時刻における興味の対象である特定の人物の顔の特徴に関する距離測定値である1セットの特徴を持つ外見モデルをディジタル・データベースに記憶させるステップと；
個人認識分類装置を設け、その個人認識分類装置において、上記外見モデルと上記付随する時刻とを利用して、上記ディジタル画像コレクションの画像の中で興味の対象である上記特定の人物を同定するステップを含む方法。
【請求項２】
上記ディジタル画像コレクションに含まれる各画像の画像取得時刻がわかっていて、上記個人認識分類装置がその画像取得時刻を利用して興味の対象である上記特定の人物を同定する、請求項1に記載の方法。
【請求項３】
上記距離測定値が、顔の特徴相互間の距離に関する比または角度である、請求項1に記載の方法。
【請求項４】
上記顔の特徴に目、鼻、眉、口が含まれる、請求項3に記載の方法。
【請求項５】
子どもに関しては、成長期間を通じてより多数の外見モデルを利用する、請求項1に記載の方法。
【請求項６】
画像取得時刻における興味の対象である上記人物の年齢がわかっていて、上記外見モデルを修正することで、その外見モデルに付随する時刻と興味の対象であるその人物の年齢の間の時間差を埋め合わせる、請求項2に記載の方法。
【請求項７】
付随する時刻の異なる少なくとも2つの外見モデルをさらに含む、請求項1に記載の方法。
【請求項８】
上記特徴に興味の対象である上記特定の人物の誕生日が含まれる、請求項1に記載の方法。
【請求項９】
付随する上記時刻が、カレンダーの日付、または興味の対象である上記特定の人物の年齢である、請求項1に記載の方法。
【請求項１０】
長期間にわたって取得したディジタル画像コレクションの中から興味の対象となる特定の少なくとも一人の人物を同定する方法であって、
それぞれのディジタル画像に一人以上の人物が含まれているディジタル画像コレクションを用意するステップと；
付随するある時刻における興味の対象である特定の人物に関して以前に撮影されたディジタル画像に由来する、その人物の顔の特徴に関する距離測定値である1セットの特徴を持つ外見モデルをディジタル・データベースに記憶させるステップと；
個人認識分類装置を設け、その個人認識分類装置において、上記外見モデルと上記付随する時刻とを利用して、上記ディジタル画像コレクションの画像の中で興味の対象である上記特定の人物を同定するステップを含む方法。
【請求項１１】
長期間にわたって取得したディジタル画像コレクションの中から興味の対象となる特定の少なくとも一人の人物を同定する方法であって、
各ディジタル画像の取得時刻がわかっているディジタル画像コレクションを用意するステップと；
興味の対象となる上記特定の人物の外見モデルと、興味の対象となるその特定の人物の誕生日とをディジタル・データベースに記憶させるステップと；
取得時刻が興味の対象となるその特定の人物の誕生日よりも後のディジタル画像群の中でだけ興味の対象となるその特定の人物を探すステップを含む方法。
【手続補正書】
【提出日】平成21年3月18日(2009.3.18)
【手続補正１】
【補正対象書類名】特許請求の範囲
【補正対象項目名】全文
【補正方法】変更
【補正の内容】
【特許請求の範囲】
【請求項１】
高エネルギーパルスの送出に関連付けられるペーシングパルス列を生成することができる医療デバイスであって、
前記ペーシングパルス列を送出する手段と、
前記送出されたペーシングパルス列に関連付けられる誘発応答データを生成する手段と、
前記生成された誘発応答データに応答して、１つ又は複数の所定のペーシングパルス列要件が満たされるか否かを判定すると共に、該１つ又は複数の要件が満たされるのに応答して、前記ペーシングパルス列が有効であると特定する手段と
を備える、医療デバイス。
【請求項２】
前記１つ又は複数の所定のペーシングパルス列要件が満たされるか否かを判定する手段は、前記生成された誘発応答データを比較し、該比較された誘発応答データの時間的な整合性を判定し、前記パルス列に対応する複数の誘発応答に関連付けられる時間間隔が、所定の時間より大きく異なるか否かを判定する、請求項１に記載の医療デバイス。
【請求項３】
前記誘発応答データを生成する手段は、２つ以上の検知場所からの前記送出されたペー
シングパルス列に関連付けられる誘発応答を検知し、前記１つ又は複数の所定のペーシングパルス列要件が満たされるか否かを判定する手段は、検知された前記誘発応答のシーケンスを判定する、請求項１に記載の医療デバイス。
【手続補正書】
【提出日】平成21年3月24日(2009.3.24)
【手続補正１】
【補正対象書類名】特許請求の範囲
【補正対象項目名】全文
【補正方法】変更
【補正の内容】
【特許請求の範囲】
【請求項１】
埋め込み可能医療デバイス（ＩＭＤ）であって、
前記埋め込み可能医療デバイスを制御すると共に心房ペーシングモード又は二腔ペーシングモードにおいて前記埋め込み可能医療デバイスを選択的に動作させるための心室ペーシングプロトコルモジュールを含む処理ユニットと、
前記処理ユニットの制御下で心臓ペーシングを選択的に提供するためのパルス発生器と、
前記処理ユニットと通信可能に接続され、前記二腔ペーシングモードにおいて動作するときに前記処理ユニットに伝導性検査を実行させるための内因性伝導性検査モジュールであって、該伝導性検査は所定のパターンに従って行われる、内因性伝導性検査モジュールと、
前記二腔ペーシングモードにおいて動作するときに、前記所定のパターンに基づいて、ＡＶ間隔の持続期間を変更するためのＡＶ間隔モジュールと
を備える、埋め込み可能医療デバイス（ＩＭＤ）。
【請求項２】
前記ＡＶ間隔は第１の持続期間から名目的な持続期間まで次第に短くなり、該第１の持続期間は該名目的な持続期間よりも長い、請求項１に記載の埋め込み可能医療デバイス。
【請求項３】
前記ＡＶ間隔は、第１の持続期間から名目的な持続期間までステップ関数として減少し、該第１の持続期間は該名目的な持続期間よりも長い、請求項１に記載の埋め込み可能医療デバイス。
【請求項４】
前記内因性伝導性検査モジュールは最大間隔を含み、該最大間隔に達するときに、前記ＡＶ間隔は名目値に設定される、請求項１に記載の埋め込み可能医療デバイス。
【請求項５】
前記ＡＶ間隔は、前記所定のパターンにおける伝導性検査間の間隔の持続期間に反比例する、請求項１に記載の埋め込み可能医療デバイス。
【請求項６】
前記埋め込み可能医療デバイスが前記二腔ペーシングモードにおいて動作する時間のパーセンテージを求める比較モジュールをさらに備え、前記ＡＶ間隔モジュールは、前記時間のパーセンテージに基づいて前記ＡＶ間隔を選択する、請求項１に記載の埋め込み可能医療デバイス。
【手続補正書】
【提出日】平成21年3月18日(2009.3.18)
【手続補正１】
【補正対象書類名】特許請求の範囲
【補正対象項目名】全文
【補正方法】変更
【補正の内容】
【特許請求の範囲】
【請求項１】
患者の心臓から離れた血管系のアクセス点から、患者の血管系を経て心臓の中へ通すためのカテーテルであって、心臓弁の弁葉を一緒に保持して、心臓弁における逆流を低減することに適する遠位側構造を有するカテーテル、並びに
前記カテーテルに分離できるように連結されている弁形成構造体であって、弁輪の心室側のまわりの、凹んだ環状溝の中に位置する寸法及び形状となっており、及び、心臓弁における逆流を低減するように弁輪を調節するように適合化されている弁形成構造体
を有する、患者の心臓弁を調節するシステム。
【請求項２】
環状溝内に位置するように適合化されたリングを弁形成構造体が有する請求項１に記載のシステム。
【請求項３】
環状溝内に位置するように適合化された部分的なリングを弁形成構造体が有する請求項１に記載のシステム。
【請求項４】
前記リングが、２またはそれ以上の放射状に延びるスポークを有する請求項１に記載のシステム。
【請求項５】
前記環状溝のまわりにて、環を形成し得るように配置させ得る複数のステープルを、弁形成構造体が有する請求項１に記載のシステム。
【請求項６】
前記環状溝の中に前記構造体を取り付けるための少なくとも１つの固定部材を有する請求項１に記載のシステム。
【請求項７】
前記固定部材が、フック、カギ、プロング、接着固定材、及び折り曲げ可能な脚の少なくとも１つを有する請求項６に記載のシステム。
【請求項８】
前記弁形成構造体が、環状溝に該弁形成構造体を固定する１またはそれ以上の磁石に連結する請求項１に記載のシステム。
【請求項９】
前記弁形成構造体が、形状記憶材料を有する請求項１に記載のシステム。
【請求項１０】
前記遠位側構造が、少なくとも一つの縫合糸、クリップ、ステープル、リベットまたは接着剤を有する請求項１に記載のシステム。
【請求項１１】
前記遠位側構造が、弁葉の対向する腱索を保持することに適合化されている請求項１に記載のシステム。
【請求項１２】
前記遠位側構造を弁葉上に配置することができる請求項１に記載のシステム。
【手続補正２】
【補正対象書類名】明細書
【補正対象項目名】０１７４
【補正方法】変更
【補正の内容】
【０１７４】
理解の明快さのために図示および例によって装置および方法を詳細に説明してきたが、様々な代替、修正および等価物を使用することができ、また上記の説明が範囲を制限するものと理解すべきでないことは明白であろう。
尚、本発明において好ましい態様例として、以下の例を挙げることができる：
［事項１］
患者の心臓弁を修正する方法であって、
患者の血管系を通って、解放可能に結合された少なくとも一つの構造を有するカテーテルを心臓から離れた血管系のアクセス点から心臓内に前進させること、
前記構造は心臓弁の弁輪を修正して心臓弁における逆流を低減する様に適合化されており、前記構造を前記カテーテルから前記心臓弁の弁輪の心室側にある溝の中に布置すること、および
前記構造を布置することと組み合わせて、心臓弁の弁葉を一緒に保持して心臓弁における逆流を低減すること、
を含む方法。
［事項２］
前記カテーテルを前進させることが前記カテーテルを右心房内に前進させることからなり、
心房中隔を貫通して前記心房中隔内に開口を形成すること、
心房中隔内の開口を通って左心房内に前記カテーテルを前進させること、
カテーテルを下向きに僧帽弁を通って前進させること、
を含む、事項１に記載の方法。
［事項３］
前記カテーテルの先端領域を前記溝に向かって上向きに曲げて、前記構造が僧帽弁の下方から溝に接近するようになすことを更に含む、事項２に記載の方法。
［事項４］
前記弁の弁葉を一緒に保持することが、前記弁葉の上またはそれに沿って互いに対向する点を恒久的に付着させることからなる、事項１に記載の方法。
［事項５］
前記弁の弁葉を一緒に保持することが、前記弁葉の上またはそれに沿って互いに対向する点を縫合、クリップによる係止、ステープルによる係止、リベットによる係止、接着あるいは融合することからなる、事項１に記載の方法。
［事項６］
前記弁の弁葉を一緒に保持することが、前記弁葉の互いに対向する腱索をリンクすることによって達成される、事項１に記載の方法。
［事項７］
リンクすることが互いに対向する腱索を縫合、捕捉、融合、クリップによる係止または接着することからなる、事項６に記載の方法。
［事項８］
前記弁輪を修正することが、前記弁輪の外周を短くすることからなる、事項１に記載の方法。
［事項９］
前記構造が、前記溝内で前記弁輪を少なくとも部分的に取り囲むリングからなる、事項１に記載の方法。
［事項１０］
前記構造が、前記弁輪の周囲の前記溝内の輪形構成体の中に位置する複数のステープルからなる、事項１に記載の方法。
［事項１１］
前記構造が、前記溝内で前記構造を固定する少なくとも一つの固定部材を含む、事項１に記載の方法。
［事項１２］
前記心臓弁が僧帽弁を有する、事項１に記載の方法。
［事項１３］
瘢痕組織が前記溝の中の前記構造の周囲に成長するのを許容すること、および
前記弁輪の形状を修正するために前記構造を再形成し、前記瘢痕組織が前記構造と前記溝の間のまっすぐな付着を実現すること、
を含む、事項１に記載の方法。
［事項１４］
４〜２４週間からなる期間が経過した後に、前記構造が再形成される、事項１３に記載の方法。
［事項１５］
患者の心臓弁を修正する方法であって、
患者の血管系を通って、解放可能に結合された輪形成装置を有するカテーテルを心臓から離れた血管系のアクセス点から心臓内に前進させること、
前記心臓弁の心室側の溝に対して介入を行って前記心臓弁の弁輪を修正し、かつ前記心臓弁における逆流を低減すること、
介入を行うことと組み合わせて、心臓弁の第一の弁葉と第二の弁葉との間の空間的な関係修正して、心臓弁における逆流を低減すること、
を含む方法。
［事項１６］
介入を行うことが、前記構造の形状を変更するために溝に高周波（ＲＦ）エネルギーを加えることからなる、事項１５に記載の方法。
［事項１７］
介入を行うことが、前記カテーテルから前記溝内に構造を布置することからなる、事項１５に記載の方法。
［事項１８］
瘢痕組織が前記溝の中の前記構造の周囲に成長するのを許容すること、および
前記弁輪の形状を修正するために前記構造を再形成し、前記瘢痕組織が前記構造と前記溝の間のまっすぐな付着を実現すること、
を更に含む、事項１５に記載の方法。
［事項１９］
４〜２４週間からなる期間が経過した後に、前記構造が再形成される、事項１８に記載の方法。
【手続補正書】
【提出日】平成21年4月24日(2009.4.24)
【手続補正１】
【補正対象書類名】特許請求の範囲
【補正対象項目名】全文
【補正方法】変更
【補正の内容】
【特許請求の範囲】
【請求項１】
大気中へ揮発性液体を散布するように適合された装置であって、該装置が揮発性液体を含むリザーバおよび液体と大気の両方に接触するように適合された液体移送部を含み、移送部が液体不浸透性スリーブ内で摺動可能であり、液体不浸透性下端を有し、移送部が高い位置にある場合に、液体の移送部への接近を拒むために液体不浸透性下端および液体不浸透性スリーブが組み合わさり、該移送部が適切な解除式固定手段によって高い位置に固定され、該解除式固定手段が解除された場合に、液体と液体移送接触する、スリーブに対して低い位置に移送部が移動することを可能にする、前記装置。
【請求項２】
不浸透性下端部が、（ａ）不浸透性物質に含浸した端部、（ｂ）不浸透性材料のキャップ、および（ｃ）不浸透性の点まで圧迫された下位部からなる群から選択される構造を含む、請求項１に記載の装置。
【請求項３】
不浸透性下端部が、プラグのようにスリーブの端部に収まるように適合されたキャップを含む、請求項２に記載の装置。
【請求項４】
固定手段が、移送手段および移送手段に隣接する部材の一方に、移送手段および隣接部の他方における窪みに嵌合する突起を含み、突起支持部および窪み支持部の片方または両方が、適切な圧力によって嵌合するか、離脱するように十分に弾力性がある、請求項１に記載の装置。
【請求項５】
リザーバ内の揮発性液体から大気中へ伸びる液体移送部を用いて、該リザーバから大気中へ散布されるように適合された揮発性液体のリザーバからの漏れを可逆的に防ぐ方法であって；
（ａ）該液体に接触することができる該移送部の端部の液体不浸透性部分を与えること；
（ｂ）移送部が高い位置と低い位置を有し、該低い位置が液体との該移送部の液体移送接触を可能にするように、液体不浸透性スリーブ内で摺動可能な該移送部を与えること；
（ｃ）該移送部の該液体不浸透性部分および該不浸透性スリーブを高い位置において、それらを解除可能なように一緒に固定し、揮発性液体の移送手段への接近を拒む液体不浸透性バリアを形成するように構成すること；および
（ｄ）該移送部を高い位置へ摺動すること
を含む前記方法。
【手続補正書】
【提出日】平成21年4月13日(2009.4.13)
【手続補正１】
【補正対象書類名】特許請求の範囲
【補正対象項目名】全文
【補正方法】変更
【補正の内容】
【特許請求の範囲】
【請求項１】
ヒトＦｃＲｎのエピトープに結合する単離された抗体またはその抗原結合部分であって、ここで、該抗体またはその抗原結合部分は、ＩｇＧ抗体のＦｃ部分のヒトＦｃＲｎへの結合を選択的に阻害するが、ヒトアルブミンのヒトＦｃＲｎへの結合を阻害しない、抗体またはその抗原結合部分。
【請求項２】
前記抗体はモノクローナル抗体である、請求項１に記載の抗体またはその抗原結合部分。
【請求項３】
前記抗体またはその抗原結合部分は、被験体におけるヒト自己抗体によって誘導される炎症性病変を軽減または阻害する、請求項１または２のいずれか１項に記載の単離された抗体またはその抗原結合部分。
【請求項４】
前記抗体は、本明細書中でＤＶＮ２１およびＤＶＮ２４として示される抗体からなる群より選択される、請求項１〜３のいずれか１項に記載の単離された抗体またはその抗原結合部分。
【請求項５】
前記抗体は、組み換え抗体、ヒト化抗体、キメラ抗体、ヒト抗体、および二重特異的抗体または多重特異的抗体から選択される、請求項１〜４のいずれか１項に記載の単離された抗体またはその抗原結合部分。
【請求項６】
前記単離された抗原結合部分は、Ｆａｂフラグメント、Ｆ（ａｂ’）２フラグメント、およびＦｖフラグメントＣＤＲ３からなる群より選択される、請求項１〜５のいずれか１項に記載の単離された抗体またはその抗原結合部分。
【請求項７】
前記抗体または抗原結合部分は標識されている、請求項１〜６のいずれか１項に記載の単離された抗体またはその抗原結合部分。
【請求項８】
前記抗体またはその抗原結合部分は、ヒトＦｃＲｎに、少なくとも約１×１０−８Ｍまたはそれ未満の結合親和性で、特異的に結合する、請求項１〜７のいずれか１項に記載の単離された抗体またはその抗原結合部分。
【請求項９】
前記単離された抗体またはその抗原結合部分は、さらなる機能的部分に共有結合されている、請求項１〜８のいずれか１項に記載の単離された抗体またはその抗原結合部分。
【請求項１０】
前記さらなる機能的部分が標識である、請求項９に記載の単離された抗体またはその抗原結合部分。
【請求項１１】
前記標識が検出可能な標識である、請求項１０に記載の単離された抗体またはその抗原結合部分。
【請求項１２】
前記標識が、蛍光標識、放射能標識、および特有の核磁気共鳴シグネチャーからなる群より選択される、請求項１１に記載の単離された抗体またはその抗原結合部分。
【請求項１３】
前記さらなる機能的部分が、前記抗体またはその抗原結合部分に増加した血清半減期を与える、請求項９に記載の単離された抗体またはその抗原結合部分。
【請求項１４】
前記さらなる機能的部分が、ポリエチレングリコール（ＰＥＧ）部分である、請求項１３に記載の単離された抗体またはその抗原結合部分。
【請求項１５】
請求項１〜１４のいずれか１項に記載の抗体を産生する、ハイブリドーマ細胞株。
【請求項１６】
前記ハイブリドーマ細胞株は、本明細書中でＤＶＮ２１およびＤＶＮ２４として示される抗体からなる群より選択される、請求項１５に記載のハイブリドーマ細胞株。
【請求項１７】
請求項１〜１６のいずれか１項に記載の少なくとも１つの抗体またはその抗原結合部分と、薬学的に受容可能なキャリア、賦形剤または安定剤とを含む、組成物。
【請求項１８】
免疫刺激剤、免疫調節物質またはそれらの組み合わせをさらに含む、請求項１７に記載の組成物。
【請求項１９】
前記免疫調節物質が、α−インターフェロン、γ−インターフェロン、腫瘍壊死因子α、またはそれらの組み合わせから選択される、請求項１８に記載の組成物。
【請求項２０】
前記免疫刺激剤が、インターロイキン−２、免疫刺激性オリゴヌクレオチド、またはそれらの組み合わせから選択される、請求項１８に記載の組成物。
【請求項２１】
請求項１〜２０のいずれか１項に記載の単離された抗体またはその抗原結合部分をコードする、単離された核酸分子。
【請求項２２】
個体におけるＦｃＲｎ媒介性ＩｇＧ防御を阻害するための、請求項１〜２１のいずれか１項に記載の抗体またはその抗原結合部分を含む組成物であって、該抗体またはその抗原結合部分は、ヒトＦｃＲｎのヒトＩｇＧへの結合を選択的に阻害するが、ヒトＦｃＲｎのヒトアルブミンへの結合を阻害しない、組成物。
【請求項２３】
患者における自己免疫疾患を予防または処置するための、請求項１〜２２のいずれか１項に記載の抗体またはその抗原結合部分を含む、組成物。
【請求項２４】
前記自己免疫疾患が、全身性エリテマトーデス、インスリン抵抗性糖尿病、重症筋無力症、多発性動脈炎、自己免疫血小板減少性紫斑病、皮膚血管炎、水疱性類天疱瘡、尋常天疱瘡、落葉状天疱瘡、グッドパスチャー症候群、慢性関節リウマチ、川崎病、およびシェーグレン症候群からなる群より選択される、請求項２３に記載の組成物。
【請求項２５】
ヒトＦｃＲｎのヒトＩｇＧへの結合を選択的に阻害するが、ヒトＦｃＲｎのヒトアルブミンへの結合を阻害しないインヒビターを同定するインビトロまたは非ヒト動物による方法であって、該方法は、以下：
ａ）候補インヒビターと、ヒトＦｃＲｎおよびヒトＩｇＧとを、該ヒトＦｃＲｎの該ヒトＩｇＧへの結合に適切な条件下で接触させる工程；
ｂ）候補インヒビターの非存在下でのヒトＦｃＲｎの該ヒトＩｇＧへの結合と比較して、該候補インヒビターの存在下でのヒトＦｃＲｎの該ヒトＩｇＧへの結合についてアッセイする工程；
ｃ）候補インヒビターと、ヒトＦｃＲｎおよびヒトアルブミンとを、該ヒトＦｃＲｎのヒトアルブミンへの結合に適切な条件下で接触させる工程；ならびに
ｄ）候補インヒビターの非存在下でのヒトＦｃＲｎのヒトアルブミンへの結合と比較して、該候補インヒビターの存在下でのヒトＦｃＲｎのヒトアルブミンへの結合についてアッセイする工程；
を包含し、
ここで、該候補インヒビターがＦｃＲｎの該ヒトＩｇＧへの結合を阻害するが、ヒトＦｃＲｎのヒトアルブミンへの結合を阻害しない場合、該候補インヒビターは、ヒトＦｃＲｎのヒトＩｇＧへの結合を選択的に阻害するが、ヒトＦｃＲｎのヒトアルブミンへの結合を阻害しないインヒビターである、方法。
【請求項２６】
インビトロ法である、請求項２５に記載の方法。
【請求項２７】
ＦｃＲｎ−／−／ｈｕＦｃＲｎ＋トランスジェニックマウスにおいて実施されるインビボ法である、請求項２５に記載の方法。
【請求項２８】
前記工程（ａ）のヒトＩｇＧおよび工程（ｃ）のアルブミンが、候補インヒビターと、同時に、または連続して接触される、請求項２５に記載の方法。
【請求項２９】
前記因子は、抗体、ポリペプチド、合成ペプチド、ペプチド模倣物、および低分子からなる群より選択される、請求項２５に記載の方法。
【請求項３０】
前記因子は、ＩｇＧポリペプチドのＦｃ部分を含む融合タンパク質である、請求項２８に記載の方法。
【請求項３１】
前記因子は、ＩｇＧポリペプチドのＦｃ部分である、請求項２８に記載の方法。
【請求項３２】
前記抗体がモノクローナル抗体である、請求項２２、２３または２４に記載の使用。
【請求項３３】
放射性抗体または抗体結合体化毒素のクリアランスを促進するための、請求項１〜３２のいずれか１項に記載の単離された抗体またはその抗原結合部分を含む、組成物。
【手続補正書】
【提出日】平成21年1月27日(2009.1.27)
【手続補正１】
【補正対象書類名】特許請求の範囲
【補正対象項目名】全文
【補正方法】変更
【補正の内容】
【特許請求の範囲】
【請求項１】
配列番号３４を含むアミノ酸配列を有する、ニコチンアミドリボシドキナーゼポリペプチドをコードする真核生物ヌクレオチド配列を含む、単離された核酸。
【請求項２】
請求項１に記載の単離された核酸であって、以下：
（ａ）配列番号１、配列番号２もしくは配列番号３を含むヌクレオチド配列；
（ｂ）配列番号１、配列番号２もしくは配列番号３を含むヌクレオチド配列またはその相補的ヌクレオチド配列にストリンジェントな条件下でハイブリダイズするヌクレオチド配列であって、機能的なニコチンアミドリボシドキナーゼポリペプチドをコードする該ヌクレオチド配列；
（ｃ）（ａ）または（ｂ）のヌクレオチド配列によってコードされるアミノ酸配列をコードするヌクレオチド配列であるが、遺伝子コードの縮重または非翻訳ヌクレオチド配列の存在に起因して（ａ）または（ｂ）のヌクレオチド配列と異なるヌクレオチド配列を有する該ヌクレオチド配列；
を含む、前記核酸。
【請求項３】
請求項１または２に記載の単離された核酸を含む発現ベクター。
【請求項４】
配列番号３４を含むアミノ酸配列を有する、単離された真核生物ニコチンアミドリボシドキナーゼポリペプチド。
【請求項５】
請求項４に記載の単離されたニコチンアミドリボシドキナーゼポリペプチドであって、配列番号４、配列番号５もしくは配列番号６またはこれらの機能的フラグメントを含むアミノ酸配列に対して少なくとも約７０％のアミノ酸配列類似性を有するアミノ酸配列を含む、前記ポリペプチド。
【請求項６】
請求項１もしくは２に記載の単離された核酸、または請求項４もしくは５に記載の単離されたニコチンアミドリボシドキナーゼポリペプチドを含む、培養細胞。
【請求項７】
請求項３に記載の発現ベクターまたは請求項４もしくは５に記載の単離されたニコチンアミドリボシドキナーゼポリペプチドと、薬学的に受容可能なキャリアとを含む、組成物。
【請求項８】
請求項７に記載の組成物であって、さらにプロドラッグを含み、該プロドラッグが、ニコチンアミドリボシドキナーゼによってリン酸化され、それによって活性化されるニコチンアミドリボシド関連アナログである、前記組成物。
【請求項９】
癌を処置するための、請求項７または８に記載の組成物。
【請求項１０】
ニコチンアミドリボシドのための天然または合成の原料を同定するための方法であって、以下：
機能的なグルタミン依存性ＮＡＤ＋シンターゼを欠失する第一の細胞を、天然または合成の原料からの単離抽出物と接触させること；
機能的なグルタミン依存性ＮＡＤ＋シンターゼおよびニコチンアミドリボシドキナーゼを欠失する第二の細胞を、前記単離抽出物と接触させること；ならびに
第二の細胞の増殖と比較した第一の細胞の増殖を検出すること、
ここで、前記第一の細胞の増殖の存在および前記第二の細胞の増殖の不在が、前記単離抽出物中のニコチンアミドリボシドの存在の指標である、
を含む、前記方法。
【請求項１１】
天然の原料が牛乳である、請求項１０に記載の方法。
【請求項１２】
請求項１０または１１に記載の方法によって同定されたニコチンアミドリボシドとキャリアとを含む、栄養補助組成物。
【請求項１３】
ＮＡＤ＋生合成のニコチンアミドリボシドキナーゼ経路と関連する疾患または状態を予防または処置するためのニコチンアミドリボシド組成物。
【請求項１４】
トリプトファン、ニコチン酸またはニコチンアミドと組み合わせて投与される、請求項１３に記載の組成物。
【請求項１５】
ニコチンアミドリボシド関連プロドラッグを同定するための方法であって、配列番号３４を含むアミノ酸配列を有するニコチンアミドリボシドキナーゼポリペプチドをニコチンアミドリボシド関連試験剤と接触させること、ならびに、前記試験剤が前記ニコチンアミドリボシドキナーゼポリペプチドによってリン酸化されたか否かを決定すること、それによってニコチンアミドリボシド関連プロドラッグを同定することを含む、前記方法。
【請求項１６】
ニコチンアミドリボシド関連プロドラッグを同定するための方法であって、組み換えニコチンアミドリボシドキナーゼポリペプチドを発現する第一の試験細胞をニコチンアミドリボシド関連試験剤と接触させること；機能的なニコチンアミドリボシドキナーゼポリペプチドを欠失する第二の試験細胞を同じ試験剤と接触させること、ここで前記組み換えニコチンアミドリボシドキナーゼポリペプチドが、配列番号３４を含むアミノ酸配列を有する；ならびに、前記第一および第二の細胞のバイアビリティを決定すること、ここで、第一の細胞の細胞死があって第二の細胞の細胞死がないことがニコチンアミドリボシド関連プロドラッグの指標である、を含む、前記方法。
【請求項１７】
請求項１５または１６に記載の方法によって同定された、ニコチンアミドリボシド関連プロドラッグ。
【請求項１８】
ニコチンアミドリボシド関連プロドラッグによる処置に感受性である個体または腫瘍を同定するためのin vitro方法であって、個体または腫瘍におけるニコチンアミドリボシドキナーゼにおける変異の存在またはニコチンアミドリボシドキナーゼの発現のレベルを検出することを含み、ここで、コントロールと比較した前記個体または腫瘍におけるニコチンアミドリボシドキナーゼの変異の存在または発現の変化が、前記個体または腫瘍がニコチンアミドリボシド関連プロドラッグによる処置に対して変化したレベルの感受性を有することの指標である、前記方法。
【請求項１９】
Ｌ−バリンまたはＬ−フェニルアラニンのエステルを用いて誘導体化されたニコチンアミドリボシドを含む、ニコチンアミドリボシド組成物。
【請求項２０】
薬学的に受容可能なキャリアとの混合物中にニコチンアミドリボシドを含む、薬学的組成物。
【手続補正書】
【提出日】平成21年3月13日(2009.3.13)
【手続補正１】
【補正対象書類名】特許請求の範囲
【補正対象項目名】全文
【補正方法】変更
【補正の内容】
【特許請求の範囲】
【請求項１】
グルココルチコイド受容体（GR）−感受性遺伝子の遺伝子及び／又はタンパク質発現分析による、GRリガンドのトランス活性化及びトランス抑制活性の特徴づけのための方法であって、以下のステップ：
ａ）初代免疫細胞のＧＲリガンドへの曝露、
ｂ）トランス抑制を測定するための、少なくとも１つの前記ＧＲ−感受性遺伝子の発現の制御の検出、
ｃ）トランス活性化を測定するための、少なくとも１つの前記ＧＲ−感受性遺伝子の発現の制御の検出、
ｄ）知られたグルココルチコイドに対する、上記得られた値の正規化、及び
ｅ）以下の式１：
【化１】
2008538903.tif 000001
による、比の導出、
が実施されることを特徴とする、前記方法。
【請求項２】
上記トランス活性化の特徴づけのために、IFN-γR1、TNF-R1、IL-1R1、IL-2Rα、IL-13Ra、CXCR4、GITR、β2-アドレノレセプター、ヘモキシゲナーゼ１、IL-2、MIF、アネキシン１、又はトロンボスポンディン１の発現が測定される、請求項１に記載の方法。
【請求項３】
上記トランス活性化活性の特徴づけのために、CD163、FKBP51、グルタミンシンテターゼ、又はGILZの誘導が測定される、請求項１に記載の方法。
【請求項４】
前記トランス抑制活性の特徴づけのために、HLA-DR、CD86又は前炎症性サイトカイン、IL-β、IL-8、TFN-α又はRANTESの抑制が測定される、請求項１に記載の方法。
【請求項５】
GR-感受性遺伝子の遺伝子及び／又はタンパク質発現分析による、グルココルチコイド受容体（GR）リガンドのトランス活性化及びトランス抑制活性の特徴づけのための方法であって、以下のステップ：
ａ）初代免疫細胞のＧＲリガンドへの曝露、
ｂ）TNF‐α及びIL-1βの発現の制御の検出、
ｃ）CD163及びFKBP51の発現の制御の検出、
ｄ）知られたグルココルチコイドに対する、上記得られた値の正規化、及び
ｅ）以下の式２：
【化２】
2008538903.tif 000002
による、比の導出、
が実施される、前記方法。
【請求項６】
前記初代免疫細胞が刺激されない、請求項１〜５のいずれか１項に記載の方法。
【請求項７】
前記タンパク質の検出が細胞において、又は液体中への分泌後に実施される、請求項１〜６のいずれか１項に記載の方法。
【請求項８】
リンパ器官由来、骨髄由来又は血液由来の前記初代免疫細胞が検査される、請求項１〜７のいずれか１項に記載の方法。
【請求項９】
前記血液が生きた生物体から取り出されたものである、請求項１〜８のいずれか１項に記載の方法。
【請求項１０】
前記トランス抑制及びトランス活性化パラメータのプレドニソロンに対する正規化が行われる、請求項１〜９のいずれか１項に記載の方法。
【請求項１１】
ＧＲリガンドの、競争的又は非競争的、アゴニスト性、部分アゴニスト性、部分アンタゴニスト性、又はアンタゴニスト性の活性を検出するための、請求項１〜１０のいずれか１項に記載の方法の使用。
【請求項１２】
インビトロ及びインビボ実験における、並びにバイオマーカーアッセイとしての、請求項１〜１０のいずれか１項に記載の方法の使用。
【手続補正書】
【提出日】平成21年2月19日(2009.2.19)
【手続補正１】
【補正対象書類名】特許請求の範囲
【補正対象項目名】全文
【補正方法】変更
【補正の内容】
【特許請求の範囲】
【請求項１】
患者にサーチュインモジュレーター、またはその薬学的に許容される塩、プロドラッグもしくは代謝誘導体を治療用量で含む、視覚機能障害の治療のための組成物。
【請求項２】
前記視覚機能障害が、視神経または中枢神経系の損傷によって引き起こされる、請求項１に記載の組成物。
【請求項３】
前記視神経または中枢神経系の損傷が、高い眼内圧によって引き起こされる、請求項２に記載の組成物。
【請求項４】
前記視神経の損傷が神経の腫脹によって引き起こされる、請求項２に記載の組成物。
【請求項５】
前記視神経の損傷が虚血によって引き起こされる、請求項２に記載の組成物。
【請求項６】
前記視覚機能障害が網膜損傷によって引き起こされる、請求項１に記載の組成物。
【請求項７】
前記網膜損傷が網膜への血流の乱れによって引き起こされる、請求項６に記載の組成物。
【請求項８】
前記網膜損傷が黄斑の破裂によって引き起こされる、請求項６に記載の組成物。
【請求項９】
眼内圧を上昇させる薬物と同時投与されることを特徴とする、請求項１に記載の組成物。
【請求項１０】
前記薬物がステロイドである、請求項９に記載の組成物。
【請求項１１】
眼内圧を下降させる薬物と同時投与されることを特徴とする、請求項１に記載の組成物。
【請求項１２】
前記サーチュインモジュレーターがサーチュイン活性化剤である、請求項１に記載の組成物。
【請求項１３】
前記サーチュイン活性化剤が、レスベラトロール、そのアナログ、またはレスベラトロールのプロドラッグもしくはそのアナログである、請求項１２に記載の組成物。
【請求項１４】
前記サーチュイン活性化剤が、ニコチンアミドリボシド、そのアナログ、またはニコチンアミドリボシドのプロドラッグもしくはそのアナログである、請求項１２に記載の組成物。
【請求項１５】
前記サーチュインモジュレーターは眼に投与されることを特徴とする、請求項１に記載の組成物。
【請求項１６】
前記サーチュインモジュレーターは液体、クリームまたはゲルとして投与されることを特徴とする、請求項１５に記載の組成物。
【請求項１７】
前記サーチュインモジュレーターは眼に局所投与されることを特徴とする、請求項１６に記載の組成物。
【請求項１８】
前記サーチュインモジュレーターは眼内注射によって投与されることを特徴とする、請求項１７に記載の組成物。
【請求項１９】
前記サーチュインモジュレーターは、眼球インプラントからの放出によって投与されることを特徴とする、請求項１５に記載の組成物。
【請求項２０】
眼球インプラントがインプラント型レンズである、請求項１９に記載の組成物。
【請求項２１】
視覚機能障害が白内障、網膜症、網膜色素変性症、眼球神経炎または眼の毛細血管床の血管疾患の１つまたは複数によって引き起こされるものではない、請求項１に記載の組成物。
【請求項２２】
サーチュインモジュレーター、またはその薬学的に許容される塩、プロドラッグもしくは代謝誘導体を治療用量で含む、緑内障の治療のための組成物。
【請求項２３】
緑内障を治療するための追加の薬物とともに投与されることを特徴とする、請求項２２に記載の組成物。
【請求項２４】
サーチュインモジュレーター、またはその薬学的に許容される塩、プロドラッグもしくは代謝誘導体を治療用量で含む、視神経炎の治療のための組成物。
【請求項２５】
視神経炎を治療するための追加の薬物とともに投与されることを特徴とする、請求項２４に記載の組成物。
【請求項２６】
サーチュインモジュレーター、またはその薬学的に許容される塩、プロドラッグもしくは代謝誘導体を治療用量で含む、黄斑変性症の治療のための組成物。
【請求項２７】
黄斑変性症を治療するための追加の薬物とともに投与されることを特徴とする、請求項２６に記載の組成物。
【請求項２８】
サーチュインモジュレーター、またはその薬学的に許容される塩、プロドラッグもしくは代謝誘導体を治療用量で含む、前部虚血性視神経症の治療のための組成物。
【請求項２９】
前部虚血性視神経症を治療するための追加の薬物とともに投与されることを特徴とする、請求項２８に記載の組成物。
【請求項３０】
前記視覚機能障害が加齢性である、請求項１に記載の組成物。
【請求項３１】
前記視覚機能障害がストレス、化学傷害または放射線によって引き起こされる、請求項１に記載の組成物。